(57)【要約】      （修正有）【課題】効率よく重ねられる形に保持可能で、保持状態のまま外箱の開口部に対して直線動作で容易に投入可能な緩衝材を提供する。【解決手段】シート材であって、底部１１と、前記底部から第１罫線を介して延長される側壁部と、側壁起立部と、前記側壁部から延長される折り返し壁と、前記折り返し壁の前記第１罫線と直行する方向の先端に形成される突出部と、前記突出部に、前記第１罫線と平行な方向に突出して形成されるかえし部を有し、前記第１罫線を折り曲げた際に、前記底部に形成される保持穴は前記かえし部より幅の広い個所と、幅の狭い個所を有し、前記かえし部は、折り曲げた時に、前記保持穴の第１面側から挿入可能で、前記保持部の第２面側に、前記かえし部が引っ掛かる形で保持する保持状態をとることが可能であり、前記保持状態において、前記側壁部と、前記底部のなす角が鈍角であることを特徴とする。【選択図】図１
2020172309.tif 000002
【特許請求の範囲】
【請求項１】
第１面（Ａ）と、第２面（Ｂ）を有するシート材（１０）であって、
底部（１１）と、
前記底部（１１）から、一部が途切れている第１罫線中断部（１０３ａ）を有する第１罫線（１０２ａ）を介して延長される側壁部（１１０ａ）と、
前記第１罫線中断部（１０３ａ）の少なくとも一部と、穴（１０６ａ）、またはスリット（１０５ａ）によって囲われた側壁起立部（１０４ａ）と、
前記側壁部（１１０ａ）から、第２罫線中断部（１１２ａ）で一部が途切れている第２罫線（１１１ａ）から延長される折り返し壁（１１３ａ）と、
前記折り返し壁（１１３ａ）の前記第１罫線（１０２ａ）と直行する方向の先端に形成される突出部（１１５ａ）と、
前記突出部（１１５ａ）に、前記第１罫線（１０２ａ）と平行な方向に突出して形成されるかえし部（１１６ａ）を有し、
前記第１罫線（１０２ａ）を折り曲げた際に、前記底部（１１）に形成される保持穴（１２０ａ）は前記かえし部（１１６ａ）より幅の広い個所と、幅の狭い個所を有し、
前記かえし部（１１６ａ）は、第１罫線（１０２ａ）と、前記第２罫線（１１１ａ）で、いずれも第１面（Ａ）が谷になるように折り曲げた時に、前記保持穴（１２０ａ）の第１面（Ａ）側から挿入可能で、前記保持部の第２面（Ｂ）側に、前記かえし部（１１６ａ）が引っ掛かる形で保持する保持状態をとることが可能であり、
前記保持状態において、前記側壁部（１１０ａ）と、前記底部（１１）のなす角が鈍角であることを特徴とする緩衝材。
【請求項２】
前記第１罫線（１０２ａ）から前記第２罫線（１１１ａ）までの、前記第１罫線に直行する方向の距離（Ｎａ）は、前記第２罫線（１１１ａ）から前記返し部（１１６ａ）までの、前記第１罫線（１０２ａ）に直行する方向の距離（Ｍａ）より短いことを特徴とする請求項１に記載の緩衝材（１０）。
【請求項３】
前記第２罫線（１１１ａ）は、第２罫線中断部（１１２ａ）で一部が途切れており、前記第２罫線（１１１ａ）より前記側壁部（１１０ａ）側で、前記第２罫線中断部（１１２ａ）の少なくとも一部と、穴、ないしスリット（１１４ａ）によって囲われた折り返し壁起立部（１１７ａ）とを有することを特徴とする請求項１又は請求項２に記載の緩衝材（１０）。
【請求項４】
長方形で、第１頂点から、隣接する２辺の方向に一部が延伸した第１被保持部（５０５）を有し、第１頂点と隣接した第２頂点から、隣接する２辺の方向に一部が延伸した第２保持部（５０６）を有する仕切り材（５０）と、少なくとも１組の対向する２辺それぞれに、第１側壁部（１１０ｂ）第２側壁部（１１０ｄ）を有する、請求項１乃至請求項３の何れか一項に記載の緩衝材（１０）において、
前記第１側壁部（１１０ｂ）と前記底部（１１）の間に形成される第１罫線（１０２ｂ）をまたいで第１仕切り穴（１１８ｂ）が形成され、前記第２側壁部（１１０ｄ）と前記底部（１１）の間に形成された第３罫線（１０２ｄ）をまたいで第２仕切り穴（１１８ｄ）が形成されている緩衝材（１０）において、前記第１仕切り穴（１１８ｂ）と第２仕切り穴（１１８ｄ）は、前記第１側壁部（１１０ｂ）と前記底部（１１）と前記第２側壁部（１１０ｄ）において、前記仕切り材（５０）の厚みより長く、等しい幅（Ｑｂ）である個所を有し、前記第１罫線（１０２ｂ）、第２側壁罫線（１０２ｄ）をまたぐ個所において前記仕切り材（５０）の厚みにより長く、等しい幅（Ｑｄ）である個所よりも幅が広くなっており、前記仕切り材（５０）の第１被保持部（５０５）、第２の被保持部（５０６）の先端間の距離（Ｇ）が前記底部（１１）の第１罫線（１０２ｂ）と第２罫線（１０２ｄ）の距離（Ｊ）より長く、前記仕切り材（５０）の第３頂点と第４頂点の距離（Ｋ）が、前記底部（１１）の第１罫線（１０２ｂ）と第２罫線（１０２ｄ）の距離よりも短いことを特徴とする緩衝材（１０）、仕切り材（５０）、それらを使用した梱包方法。
【請求項５】
前記請求項１乃至請求項４の何れか一項に記載の緩衝材（１０）を外箱（６０）に入れる梱包形態において、前記側壁部（１１０ａ）を、前記底部（１１）に対して直立させたときの、前記底部鉛直方向から見た投影形状が前記外箱の内寸よりも小さく、前記保持状態における、前記緩衝材（１０）を前記底部鉛直方向から見た投影形状が外箱（６０）の開口部よりも大きいことを特徴とする梱包材および梱包方法。
【発明の詳細な説明】
【技術分野】
【０００１】
本発明は、緩衝材およびそれを使用した梱包形態に関し、特に段ボールシートを使用した緩衝材およびそれを利用した梱包形態に関する。
【背景技術】
【０００２】
従来のカメラなどの電子機器では段ボールシートを折りたたむ形式の緩衝材を使用して外箱に投入する構成をとることがあった。こうした構成では、略直方体である外箱の一部に略直方体の収納スペースを設けている。その収納スペースの形状に合わせて、緩衝材を人手で組み立てて収納状態とし、手で保持しながら外箱に投入していた。
【０００３】
特許文献１には、組み立て式の緩衝材が開示されている。特許文献２には、組み立て状態で保形可能な緩衝材が開示されている。
【先行技術文献】
【特許文献】
【０００４】
【特許文献１】特開２０１１−１６８２７９号公報
【特許文献２】特開２００２−６８３１７号公報
【発明の概要】
【発明が解決しようとする課題】
【０００５】
近年、生産ラインの自動化が進められており製品を自動機で製造するだけでなく、製品と緩衝材を外箱に梱包する作業も自動化が進んできている。
【０００６】
しかしながら、上記の特許文献１に開示されたような従来技術による緩衝材を自動機で投入する場合、複雑な形状の緩衝材を組み立て、さらにその緩衝材を保持して投入するために、複雑な機構の自動機が必要となる場合があった。また、緩衝材と収納スペースのクリアランスは一般的に小さく設定されるため、緩衝材を収納スペースの形状に組み立て、保持し、外箱やその他の資材に引っかからないように投入するのは困難である。もしこうした緩衝材を自動機で投入する場合は、緩衝材を斜めにしながら、向きを除変しながら投入するなどしなければならないこともある。これを製品生産ラインの中での作業にすると梱包作業に時間がかかるため、リードタイムの増加に繋がる可能性もあった。
【０００７】
また、特許文献２に開示された従来技術であっても、自動機で緩衝材を保形に組み立てるのが困難であるため、生産ライン内で作業することが難しかった。また、生産ラインの外で緩衝材を保形状態に組み立ててから生産ラインに運搬することも考えられるが、保形状態の緩衝材が嵩張ってしまい、運搬作業が頻繁になってしまう可能性があり、結果として生産効率が低下する可能性もあった。さらに、保形状態が外箱内での収納状態の形状であるため、外箱と保形状体でのクリアランスを小さくすると、外箱に緩衝材が引っかかる可能性もあり、自動機においては傾斜させた状態で投入するなどしなければならず対応が困難であった。
【０００８】
そこで、本発明の目的は、自動機で緩衝材を投入することも考慮し、効率よく重ねられる形に保持可能で、保持状態のまま外箱の開口部に対して直線動作で容易に投入可能な緩衝材を提供することにある。
【課題を解決するための手段】
【０００９】
上記の目的を達成するために、本発明に係る緩衝材は、
第１面と、第２面を有するシート材であって、
底部と、
前記底部から、一部が途切れている第１罫線中断部を有する第１罫線を介して延長される側壁部と、
前記第１罫線中断部の少なくとも一部と、穴、またはスリットによって囲われた側壁起立部と、
前記側壁部から、第２罫線中断部で一部が途切れている第２罫線から延長される折り返し壁と、
前記折り返し壁の前記第１罫線と直行する方向の先端に形成される突出部と、
前記突出部に、前記第１罫線と平行な方向に突出して形成されるかえし部を有し、
前記第１罫線を折り曲げた際に、前記底部に形成される保持穴は前記かえし部より幅の広い個所と、幅の狭い個所を有し、
前記かえし部は、第１罫線と、前記第２罫線で、いずれも第１面が谷になるように折り曲げた時に、前記保持穴の第１面側から挿入可能で、前記保持部の第２面側に、前記かえし部が引っ掛かる形で保持する保持状態をとることが可能であり、
前記保持状態において、前記側壁部と、前記底部のなす角が鈍角であることを特徴とする。
【発明の効果】
【００１０】
本発明によれば、効率よく重ねられる形に保持可能で、保持状態のまま外箱の開口部に対して直線動作で容易に投入可能な緩衝材の提供を実現できる。
【図面の簡単な説明】
【００１１】
【図１】緩衝材１０の展開図
【図２】緩衝材１０の展開図における、第１壁１０１ａ近傍の拡大図
【図３】緩衝材１０の展開図における、第２壁１０１ｂ近傍の拡大図
【図４】緩衝材１０の展開図における、第３壁１０１ｃ近傍の拡大図
【図５】緩衝材１０の展開図における、第４壁１０１ｄ近傍の拡大図
【図６】緩衝材１０を第１側壁罫線１０２ａから第４側壁罫線１０２ｄで折り曲げた状態の上面図
【図７ａ】緩衝材１０の第１壁１０１ａ差し込み状態の上面図
【図７ｂ】緩衝材１０の第１壁１０１ａ差し込み状態の断面図
【図８ａ】緩衝材１０の第１壁１０１ａの保持状態の上面図
【図８ｂ】緩衝材１０の第１壁１０１ａの保持状態の断面図
【図９】仕切り材５０を示す正面図と斜視図
【図１０ａ】緩衝材１０への仕切り材５０の挿入を示す斜視図
【図１０ｂ】緩衝材１０への仕切り材５０の挿入を示す斜視図
【図１１】緩衝材１０の収納状態を示す斜視図
【図１２】緩衝材１０を積み重ねた状態を示す図
【図１３ａ】緩衝材１０と外箱６０の関係を示す斜視図
【図１３ｂ】緩衝材１０と外箱６０の関係を示す正面図
【図１３ｃ】緩衝材１０と外箱６０の関係を示す側面図
【図１４】外箱６０にトレー８０を投入する前の斜視図
【図１５ａ】外箱６０にトレー８０を投入した状態の透視図
【図１５ｂ】外箱６０にトレー８０を投入した状態の透視図
【発明を実施するための形態】
【００１２】
以下、本発明を実施するための形態について、図面を参照しながら詳細に説明する。図１は、本発明の実施形態にかかわる緩衝材の展開図である。
【実施例】
【００１３】
図１から１５を参照して、本発明の実施例による、緩衝材１０について説明する。
【００１４】
図１は本発明の緩衝材１０の展開図である。紙面手前をＡ面、紙面反対側をＢ面とする。Ａ面とＢ面との距離、つまり緩衝材１０の厚みをｔとする。
【００１５】
１１は底部、１０１ａは第１壁、１０１ｂは第２壁、１０１ｃは第３壁、１０１ｄは第４壁である。
【００１６】
図２は本発明の緩衝材１０の展開図における、第１壁１０１ａ近傍の拡大図である。図３は本発明の緩衝材１０の展開図における、第２壁１０１ｂ近傍の拡大図である。図４は本発明の緩衝材１０の展開図における、第３壁１０１ｃ近傍の拡大図である。図５は本発明の緩衝材１０の展開図における、第４壁１０１ｄ近傍の拡大図である。
【００１７】
１０２ａは第１側壁罫線で、１０２ｂは第２側壁罫線で、１０２ｃは第３側壁罫線で、１０２ｄは第４側壁罫線で、それぞれ１点鎖線で示される。第１側壁罫線１０２ａから第４側壁罫線１０２ｄは、それぞれに２点鎖線で示される第１側壁罫線中断部１０３ａ、第２側壁罫線中断部１０３ｂ、第３側壁罫線中断部１０３ｃ、第４側壁罫線中断部１０３ｄにおいて罫線を形成していない。
【００１８】
１０４ａは第１起立部で、１０４ｂは第２起立部で、１０４ｃは第３起立部で、１０４ｄは第４起立部である。
【００１９】
１０５ａは第１底部スリットで、１０５ｂは第２底部スリットで、１０５ｃは第３底部スリットで、１０５ｄは第４底部スリットである。
【００２０】
１０６ａは第１底部穴で、１０６ｂは第２底部穴で、１０６ｃは第３底部穴で、１０６ｄは第４底部穴である。
【００２１】
１１０ａは第１側壁部で、１１０ｂは第２側壁部で、１１０ｃは第３側壁部で、１１０ｄは第４側壁部である。
【００２２】
第１起立部１０４ａから第４起立部１０４ｄは、それぞれが第１罫線中断部１０３ａから第４罫線中断部１０３ｄと、第１底部スリット１０５ａから第４底部スリット１０５ｄ、第１底部穴１０６ａから第４底部穴１０６ｄで囲われている。本実施例では第１起立部１０４ａから第４起立部１０４ｄが、スリットと穴で囲われている構成としているが、適宜穴のみで形成しても良いし、スリットのみで形成してもよいし、形成する壁によってスリットと穴の組み合わせを変更してもよい。また、前記底部スリット１０５ａから底部スリット１０５ｄは、前記第１側壁罫線１０２ａから第４側壁罫線１０２ｄを超えて延伸しているが、前記側壁罫線１０２ａから１０２ｄまでで止めても良い。本実施例では、底部に形成したスリットと穴の一例を示したが、請求の範囲の中で変更しても良く、特に限定はしない。
【００２３】
１１１ａは第１折り返し罫線で、１１１ｂは第２折り返し罫線で、１１１ｃは第３折り返し罫線で、１１１ｄは第４折り返し罫線で、それぞれ１点鎖線で示される。第１折り返し罫線１１１ａと第３折り返し罫線１１１ｃはそれぞれ、２点鎖線で示される第１折り返し罫線中断部１１２ａと第３折り返し罫線中断部１１２ｃにおいて罫線を形成していない。
【００２４】
１１３ａは第１折り返し壁で、１１３ｂは第２折り返し壁で、１１３ｃは第３折り返し壁で、１１３ｄは第４折り返し壁である。
【００２５】
１１４ａは第１折り返しスリットである。第１折り返しスリットは、第１折り返し罫線中断部１１２ａの少なくとも一部とで第１側壁部１１０ａの一部を囲っている。この囲われた領域を、第５起立部１１７ａとする。
【００２６】
１１４ｃは第３折り返しスリットである。第３折り返しスリットは、第３折り返し罫線中断部１１２ｃの少なくとも一部とで第３側壁部１１０ｃの一部を囲っている。この囲われた領域を、第６起立部１１７ｃとする。
【００２７】
１１５ａは第１突出部で、第１折り返し壁１１３ａの、第１側壁罫線１０２ａと直行する方向の先端の辺に略長方形で形成されている。
【００２８】
１１５ｂは第２突出部で、第２折り返し壁１１３ｂの、第２側壁罫線１０２ｂと直行する方向の先端の辺に略長方形で形成されている。
【００２９】
１１５ｃは第３突出部で、第３折り返し壁１１３ｃの、第３側壁罫線１０２ｃと直行する方向の先端の辺に略長方形で形成されている。
【００３０】
１１５ｄは第４突出部で、第４折り返し壁１１３ｄの、第１側壁罫線１０２ｄと直行する方向の先端の辺に略長方形で形成されている。
【００３１】
１１６ａは第１返し部で、第１突出部１１５ａの先端で第１側壁罫線１０２ａと平行する方向に突出するように形成されている。
【００３２】
Ｙａは第１突出部１１５ａの幅である。
【００３３】
Ｚａは第１返し部１１６ａの幅である。
【００３４】
１２０ａは第１保持穴で、１２０ｂは第２保持穴で、１２０ｃは第３保持穴で、１２０ｄは第４保持穴である。第１保持穴１２０ａから第２保持穴１２０ｄは、第１側壁罫線１０２ａから第１側壁罫線１０２ｄを折り曲げたときに、第１起立部１０４ａから第４起立部１０４ｄが離れて底部１１にできる穴と、第１底部穴１０６ａから第２底部穴１０６ｄからなる。
【００３５】
本実施例においては、第１保持穴１２０ａはＺａよりも幅が広い幅Ｗａの個所を有し、Ｚａよりも幅が狭いＸａの個所を有する。また、ＸａはＹａよりも長い。よって、第１返し部１１６ａを含む、第１突出部１１５ａを第１保持穴１２０ａに差し込むことが可能となっている。
【００３６】
Ｎａは第１折り返し罫線１１１ａと、第１側壁罫線１０２ａとの距離である。
【００３７】
Ｍａは第１折り返し罫線１１１ａと、第１返し部１１６ａとの距離である。本実施例においてＭａは、Ｎａと緩衝材１０との厚みｔの和よりも長くなっている。
【００３８】
１１６ｂは第２返し部で、第２突出部１１５ｂの先端で第２側壁罫線１０２ｂと平行する方向に突出するように形成されている。
【００３９】
Ｙｂは第２突出部１１５ｂの幅である。Ｚｂは第２返し部１１６ｂの幅である。本実施例においては、第２保持穴１２０ｂはＺｂよりも幅が広い幅Ｗｂの個所を有し、Ｚｂよりも幅が狭いＸｂの個所を有する。また、ＸｂはＹｂよりも長い。よって、第２返し部１１６ｂを含む、第２突出部１１５ｂを第２保持穴１２０ｂに差し込むことが可能となっている。
【００４０】
Ｎｂは第２折り返し罫線１１１ｂと、第２側壁罫線１０２ｂとの距離である。Ｍｂは第２折り返し罫線１１１ｂと、第２返し部１１６ｂとの距離である。本実施例においては、ＭｂはＮｂと緩衝材１０との厚みｔの和よりも長くなっている。
【００４１】
１１６ｃは第３返し部で、第３突出部１１５ｃの先端で第３側壁罫線１０２ｃと平行する方向に突出するように形成されている。
【００４２】
Ｙｃは第３突出部１１５ｃの幅である。Ｚｃは第３返し部１１６ｃの幅である。本実施例においては、第３保持穴１２０ｃはＺｃよりも幅が広い幅Ｗｃの個所を有し、Ｚｃよりも幅が狭いＸｃの個所を有する。また、ＸｃはＹｃよりも長い。よって、第３返し部１１６ｃを含む、第３突出部１１５ｃを第３保持穴１２０ｃに差し込むことが可能となっている。
【００４３】
Ｎｃは第３折り返し罫線１１１ｃと、第３側壁罫線１０２ｃとの距離である。Ｍｃは第３折り返し罫線１１１ｃと、第３返し部１１６ｃとの距離である。本実施例においては、ＭｃはＮｃと緩衝材１０との厚みｔの和よりも長くなっている。
【００４４】
１１６ｄは第４返し部で、第４突出部１１５ｄの先端で第４側壁罫線１０２ｄと平行する方向に突出するように形成されている。
【００４５】
Ｙｄは第４突出部１１５ｄの幅である。Ｚｄは第４返し部１１６ｄの幅である。本実施例においては、第４保持穴１２０ｄはＺｄよりも幅が広い幅Ｗｄの個所を有し、Ｚｄよりも幅が狭いＸｄの個所を有する。また、ＸｄはＹｄよりも長い。よって、第４返し部１１６ｄを含む、第４突出部１１５ｄを第４保持穴１２０ｄに差し込むことが可能となっている。
【００４６】
Ｎｄは第４折り返し罫線１１１ｄと、第４側壁罫線１０２ｄとの距離である。Ｍｄは第４折り返し罫線１１１ｄと、第４返し部１１６ｄとの距離である。本実施例においては、ＭｄはＮｄと緩衝材１０との厚みｔの和よりも長くなっている。
【００４７】
１１８ｂは第１仕切り穴である。第１仕切り穴１１８ｂは、第２折り返し罫線１０２ｂをまたいで、底部１１と第２側壁部１１０ｂに繋がって形成されている。また、底部１１と第２側壁部１１０ｂにおいて、一部が幅Ｑｂである溝形状になっている。さらに、第２側壁罫線１０２ｂをまたぐ個所において、幅がＰｂとなっている。Ｑｂは図９で後述する仕切り材５０の厚みｔより長く、ＰｂはＱｂよりも長くなっている。Ｈｂは第１仕切り穴１１８ｂの第２側壁部１１０ｂ側の端と第２側壁罫線１０２ｂとの距離である。
【００４８】
１１８ｄは第２仕切り穴である。第２仕切り穴１１８ｄは、第４折り返し罫線１０２ｄをまたいで、底部１１と第４側壁部１１０ｄに繋がって形成されている。また、底部１１と第４側壁部１１０ｄにおいて、一部が幅Ｑｄである溝形状になっている。さらに、第４側壁罫線１０２ｄをまたぐ個所において、幅がＰｄとなっている。Ｑｄは後述する仕切り材５０の厚みｔより長く、ＰｄはＱｄよりも長くなっている。Ｈｄは第２仕切り穴１１８ｄの第４側壁部１１０ｄ側の端と第４側壁罫線１０２ｄとの距離である。本実施例では仕切り材５０と緩衝材１０の厚みが等しくｔとしているが、適宜変更しても良い。
【００４９】
図６は本実施例における緩衝材１０を第１側壁罫線１０２ａから第４側壁罫線１０２ｄで折り曲げた状態の上面図である。
【００５０】
１２０ａは第１保持穴で、第１起立部１０４ａが第１側壁部１１０ａに倣って底部１１に対して離れたことによる穴と、第１底部穴１０６ａからなる。
【００５１】
１２０ｂは第２保持穴で、第２起立部１０４ｂが第２側壁部１１０ｂに倣って底部１１に対して離れたことによる穴と、第２底部穴１０６ｂからなる。
【００５２】
１２０ｃは第３保持穴で、第３起立部１０４ｃが第３側壁部１１０ｃに倣って底部１１に対して離れたことによる穴と、第３底部穴１０６ｃからなる。
【００５３】
１２０ｄは第４保持穴で、第４起立部１０４ｄが第４側壁部１１０ｄに倣って底部１１に対して離れたことによる穴と、第４底部穴１０６ｄからなる。
【００５４】
Ｊは第２側壁罫線１０２ｂと、第４側壁罫線１０２ｄとの距離である。
【００５５】
図７ａは本実施例における緩衝材１０を、第１側壁罫線１０２ａで折り曲げ、さらに第１折り返し罫線１１１ａで折り曲げ、第１返し部１１６ａを第１底部穴１０６ａに差し込んだ差し込み状態の上面図を示す。
【００５６】
Ｓは図７ｂに示す断面図を作成するための断面曲線である。
【００５７】
図７ｂは、図７ａにおいて断面曲線Ｓで作成した断面図である。
【００５８】
ＷａがＺａよりも長く、Ｍａが、Ｎａと厚みｔの和よりも長くなっているため、第１返し部１１６ａは緩衝材１０のＢ面を通り抜けることが可能となっている。
【００５９】
図８ａは本実施例における緩衝材１０を、図７で示した状態から、第１返し部１１６ａがＢ面を通り抜けたまま、第１側壁罫線１０２ａを、底部１１と第１側壁部１１０ａがなす角が鈍角となる方向に開き、第１折り返し罫線１１１ａを、第１側壁部１１０ａと第１折り返し壁１１３ａが近づく方向に折った保持状態の上面図を示す。
【００６０】
Ｒは図８ｂに示す断面図を作成するための断面曲線である。
【００６１】
図８ｂは、図８ａにおいて断面曲線Ｒで作成した断面図である。
【００６２】
ＹａがＸａよりも短いので突出部１１５ａは第１折り返し壁１１３ａに密着する方向に折ることが可能となっている。また、ＷａがＹａよりも長いため第１返し部１１６ａが底部１１のＢ面側に引っかかる。さらに第１折り返し罫線１０２ａは、展開形状に戻ろうとするため図８ｂのような状態で維持可能となっている。
【００６３】
図９は、本実施例における緩衝材１０と組み合わせて使用する仕切り材５０である。
【００６４】
図９のようにα方向とβ方向を定める。
【００６５】
仕切り材５０は、４辺５０１、５０２、５０３、５０４を有する略長方形となっている。また、α方向、α逆方向、β方向に突出する形で、第１保持部５０５と第２保持部５０６をそれぞれ有している。
【００６６】
Ｋは辺５０１の長さであり、第２側壁罫線１０２ｂと、第４側壁罫線１０２ｄの距離Ｊよりも短い。
【００６７】
Ｇは第１保持部５０５と第２保持部５０６の先端間の距離で、第２側壁罫線１０２ｂと、第４側壁罫線１０２ｄの距離Ｊよりも長い。
【００６８】
５０７は第１抜け止め部で、辺５０２において、αの逆方向に突出した面として形成されている。第１抜け止め部５０７と辺５０３の、β方向の距離をＦ１とする。Ｆ１はＨｂまたはＨｄよりも短い。
【００６９】
５０８は第２抜け止め部で、辺５０４において、α方向に突出した面として形成されている。第２抜け止め部５０８と辺５０３の、β方向の距離をＦ２とする。Ｆ２はＨｂまたはＨｄよりも短い。
【００７０】
図１０ａは本実施例の緩衝材１０を保持状態にし、仕切り材５０の第１保持部５０５と第２保持部５０６を、緩衝材１０の第１仕切り穴１１８ｂと第２仕切り穴１１８ｄの近傍に配置した状態を示す斜視図である。
【００７１】
本実施例では、第１仕切り穴１１８ｂおよび第２仕切り穴１１８ｄの第２側壁罫線１０２ｂおよび第４側壁罫線１０２ｄでの幅はＰｂおよびＰｄであるため、仕切り材５０よりも幅が広くなっている。また、第１仕切り穴１１８ｂの幅Ｐｂの個所と、幅Ｑｂの個所がテーパーでつながっており、第２仕切り穴１１８ｄの幅Ｐｄの個所と、幅Ｑｄの個所もテーパーでつながっている。さらに、仕切り材５０の第１保持部５０５と辺５０３もテーパーでつながっており、第２保持部５０６と辺５０３もテーパーでつながっている。そのため、仕切り材５０がわずかにずれても仕切り材５０が第１仕切り穴１１８ｂおよび第２仕切り穴１１８ｄに誘い込まれるようになり挿入しやすくなっている。以上の構成にすることによって、緩衝材１０に仕切り材５０を例えば自動機で投入する場合にも、仕切り材５０が底部１１に引っ掛かり挿入できないという可能性を軽減することが可能となる。
【００７２】
図１０ｂは図１０ａの状態から、仕切り材５０の辺５０３が底部１１に突き当たるまで挿入した状態を示す。
【００７３】
第１保持部５０５および、第２保持部５０６が、第１仕切り穴１１８ｂおよび第２仕切り穴１１８ｄの幅ＱｂおよびＱｄの個所に挿入されており、略直立した状態で保持されている。
【００７４】
図１１は図１０ｂの状態から第１側壁部１１０ａから第４側壁部１１０ｄと、第１折り返し壁１１３ａから第４折り返し壁１１３ｄを底部１１に略直角にした収納状態を示す。
【００７５】
仕切り材５０の長さＧが第２側壁罫線１０２ｂと、第４側壁罫線１０２ｄの距離Ｊよりも長い。また、Ｆ１およびＦ２がＨｂおよびＨｄよりも短く設定されているため、第２側壁部１１０ｂおよび第４側壁部１１０ｄに、仕切り材の第１保持部５０５および第２保持部５０６が挿入される。この状態では、仕切り材５０は底部１１の鉛直方向に関しては、Ｆ１およびＦ２とＨｂおよびＨｄとの差分だけ動くことが可能となる。また、第１側壁罫線１０２ａの方向にはＪとＫの差分だけ動くことが可能となる。また、第２側壁罫線１０２ｂ方向には、ｔとＱｂおよびＱｄの差分だけ動くことが可能となる。以上の構成とすることで、仕切り材５０は緩衝材１０が図１０の状態で維持された状態で挿入しやすく、そのまま図１１の状態にすることで、仕切り材５０の緩衝材１０に対する動きを規制することが可能となる。
【００７６】
図１２は緩衝材１０が図１０の状態の場合と、図１１の場合で３枚重ねた状態を示す。
【００７７】
緩衝材１０が図１１の状態では、第１から第４側壁部１１０ａから１１０ｄおよび第１から第４折り返し壁１１３ａから１１３ｄが直立している為、図１０の状態と比較して体積が大きくなっている。本発明の緩衝材１０は、積み重ねに有利な保持状態で形状を維持可能となっているため、従来技術のように嵩張る収納状態以外の状態でも運搬することが可能となっている。
【００７８】
図１３ａは緩衝材１０と仕切り材５０を外箱６０に投入する様子の斜視図を示している。
【００７９】
７０は第１の被梱包物で本実施例ではカメラとする。７１は第２の被梱包物で本実施例では撮影レンズとする。
【００８０】
図１３ｂは図１３ａのΦ方向から見た図を示している。図１３ｃは図１３ａのθ方向から見た図を示している。
【００８１】
図１３ｂにおいて、緩衝材１０は外箱６０の開口部に対し、第１側壁部１１０ａと第２側壁部１１０ｃが傾斜しており、第１起立部１０４ａおよび１０４ｃの距離が外箱６０の開口部よりも小さくなっており、第１側壁部１１０ａと、第３側壁部１１０ｃがガイドとして作用する。
【００８２】
図１３ｃにおいて、緩衝材１０は外箱６０の開口部に対し、第２側壁部１１０ｂと第４側壁部１１０ｄが傾斜しており、第２起立部１０４ｂおよび１０４ｄの距離が外箱６０の開口部よりも小さくなっており、第２側壁部１１０ｂと、第４側壁部１１０ｄがガイドとして作用する。
【００８３】
図１４は図１３の状態から緩衝材１０と仕切り材５０を外箱６０に略半分挿入した状態を示す。第１側壁部１１０ａから第４側壁部１１０ｄは外箱６０にならって、底部１１に対して略直角に曲がっている。
【００８４】
以上の構成によって、緩衝材１０は図１０ｂの保持状態で、被梱包物を収納可能で、第１から第４起立部１０４ａから１０４ｄがガイドとして作用し、外箱６０に挿入することが容易となっている。さらに外箱６０に緩衝材１０を挿入した状態では、底部１１に対して第１側壁部１１０ａから第４側壁部１１０ｄが略直角になっているため、直方体の外箱６０に対して緩衝材１０は収納状態で略直方体形状となり、外箱６０内で効率よく収納可能である。例えば自動機で緩衝材１０を投入する場合、従来の緩衝材のように予め第１側壁部１１０ａから第４側壁部１１０ｄが略直立した収納状態に組み立ててからでは、外箱６０とのクリアランスが狭い場合、外箱６０に引っかかってしまう可能性があった。一方本実施例の構成では、収納状態での緩衝材１０と外箱６０のクリアランスを小さくしても、保持状態で第１起立部１０４ａから第４起立部１０４ｄがガイドとなるため、外箱６０に引っかかってしまう可能性を低減することが可能となる。
【００８５】
図１５は緩衝材１０を外箱６０の底まで挿入した状態で、さらにトレー８０を挿入する様子を示す図である。トレーはプラスチックや、段ボールなどの紙材からなる。図１５ａは、トレー８０を外箱６０の開口部付近に配置した図である。図１５ｂは緩衝材１０を外箱６０の底まで挿入した状態をθ方向から見た透視図を示す。
【００８６】
トレー８０は、カメラ７０および撮影レンズ７１の外箱６０開口部方向からの衝撃を低減するための空間を設けるために配置している。トレー８０は第５起立部１１７ａおよび第６起立部１１７ｃに乗っているため、カメラ７０と撮影レンズ７１の大きさによらず底部１１と略平行を保つことが可能となる。トレー８０を支えるためには、第５起立部１１７ａと第６起立部１１７ｃを設けず、第１側壁部１１０ａから第４側壁部１１０ｄを高くしても良いが、図１に示される展開形状の第１壁１０１ａと、第３壁１０１ｃが長くなり、緩衝材１０の面積が増えるため材料費が増大する可能性がある。よって材料費低減の観点から、緩衝材１０の上に例えばトレー８０のようなものを配置する場合は、第５起立部１１７ａ、第６起立部１１７ｃを設けることが有効である。本実施例では第５起立部１１７ａと第６起立部１１７ｃによってトレー８０を支えているが、第２折り返し壁１１３ｂや第４折り返し壁１１３ｄに設けてもよく、特に限定する物ではない。
【００８７】
次に、緩衝材１０の緩衝性能について説明する。第１起立部１０４ａから第４起立部１０４ｄが、第１側壁部１１０ａから第４側壁部１１０ｄを介して底部１１を支えており、カメラ７０および撮影レンズ７１に外部からの衝撃が伝わりにくいように空間を形成している。また、側面に関しては第１側壁部１１０ａから第４側壁部１１０ｄと第１折り返し壁１１３ａから第４折り返し壁１１４ｄが一部を除いて２重になっており、外部からの衝撃がカメラ７０および撮影レンズ７１に伝わりにくいようになっている。本実施例では、撮影レンズ７１の収納部の一部で折り返し壁がないが、適宜設定して良く、特に限定はしない。
【００８８】
以上、本発明の好ましい実施形態について説明したが、本発明はこれらの実施形態に限定されず、その要旨の範囲内で種々の変形及び変更が可能である。
【符号の説明】
【００８９】
１０  本発明の緩衝材、１１  緩衝材の底部、１０２ａ  第１側壁罫線、
１０４ａ  第１起立部、１０５ａ  第１底部スリット、１０６ａ  第１底部穴、
１１０ａ  第１側壁部、１１１ａ  第１折り返し罫線、
１１３ａ  第１折り返し壁、１１５ａ  第１突出部、１１６ａ  第１返し部、
１２０ａ  第１保持穴、Ａ  緩衝材の第１面、Ｂ  緩衝材の第２面
【図１】
2020172309.tif 000003
【図２】
2020172309.tif 000004
【図３】
2020172309.tif 000005
【図４】
2020172309.tif 000006
【図５】
2020172309.tif 000007
【図６】
2020172309.tif 000008
【図７ａ】
2020172309.tif 000009
【図７ｂ】
2020172309.tif 000010
【図８ａ】
2020172309.tif 000011
【図８ｂ】
2020172309.tif 000012
【図９】
2020172309.tif 000013
【図１０ａ】
2020172309.tif 000014
【図１０ｂ】
2020172309.tif 000015
【図１１】
2020172309.tif 000016
【図１２】
2020172309.tif 000017
【図１３ａ】
2020172309.tif 000018
【図１３ｂ】
2020172309.tif 000019
【図１３ｃ】
2020172309.tif 000020
【図１４】
2020172309.tif 000021
【図１５ａ】
2020172309.tif 000022
【図１５ｂ】
2020172309.tif 000023